(57)【要約】【課題】車両内に持ち込まれた携帯端末装置の位置を特定して個別サービスを提供すること。【解決手段】電波強度測定部が、車両に備えられた複数の受信機が携帯端末装置から受信した電波の電界強度を測定し、特定部が、測定した各電界強度の中で最も大きい電界強度の電波を受信した受信機の位置を携帯端末装置の位置として特定するように車載装置を構成する。また、許可部が、端末位置が特定された携帯端末装置に対して所定の車載機器に対する操作を許可し、選択部が、各携帯端末装置に搭載された機能の中から利用する機能を選択させるように車載装置を構成する。【選択図】        図２
2009177588.tif 000002
【特許請求の範囲】
【請求項１】
携帯端末装置と受信機を介して無線通信する車載装置であって、
車両に備えられた複数の前記受信機が前記携帯端末装置から受信した電波の電界強度を測定する測定手段と、
前記測定手段が測定した各電界強度の中で最も大きい電界強度の電波を受信した前記受信機の位置を前記携帯端末装置の位置として特定する特定手段と
を備えたことを特徴とする車載装置。
【請求項２】
前記特定手段は、
設置位置間の距離が大きい順に一組の前記受信機を選択して前記電界強度が小さい方の前記受信機を候補から除外することによって最終的に残った前記受信機の位置を前記携帯端末装置の位置として特定することを特徴とする請求項１に記載の車載装置。
【請求項３】
前記受信機が前記携帯端末装置からの電波を受信するタイミングをすべての前記受信機について同期させる受信制御手段
をさらに備えたことを特徴とする請求項１または２に記載の車載装置。
【請求項４】
前記測定手段は、
前記携帯端末装置を識別する識別子を受信するものであって、前記電界強度を前記識別子に対応付けて測定し、
前記特定手段は、
前記識別子ごとに前記電界強度を比較することを特徴とする請求項１〜３のいずれか一つに記載の車載装置。
【請求項５】
前記受信制御手段は、
前記特定手段が前記位置を特定できない場合に、前記受信機の受信感度を低下させることを特徴とする請求項３または４に記載の車載装置。
【請求項６】
前記特定手段によって位置が特定された前記携帯端末装置に対して所定の車載機器に対する操作を許可する許可手段
をさらに備えたことを特徴とする請求項１〜５のいずれか一つに記載の車載装置。
【請求項７】
前記測定手段は、
前記携帯端末装置に搭載された機能を表す機能名称および／または当該携帯端末装置の名称を表す端末名称を受信するものであって、
前記特定手段によって位置が特定された前記携帯端末装置について前記機能名称および／または端末名称を記憶する記憶手段
をさらに備えたことを特徴とする請求項１〜６のいずれか一つに記載の車載装置。
【請求項８】
携帯端末装置の位置を検出する位置検出方法であって、
車両に備えられた複数の受信機が前記携帯端末装置から受信した電波の電界強度を測定する測定工程と、
前記測定工程が測定した各電界強度の中で最も大きい電界強度の電波を受信した前記受信機の位置を前記携帯端末装置の位置として特定する特定工程と
を含んだことを特徴とする位置検出方法。
【発明の詳細な説明】
【技術分野】
【０００１】
この発明は、車両内に持ち込まれた携帯端末装置と無線通信する車載装置および携帯端末装置の位置検出方法に関し、特に、車両内に持ち込まれた携帯端末装置の位置を特定することができる車載装置および位置検出方法に関する。
【背景技術】
【０００２】
近年、カーナビゲーションシステムが普及してきており、自動車には、音楽や映像の視聴、ナビゲーション情報の表示などを行うことができる車載装置が搭載されることが一般的となってきている。また、このような車載装置は、乗車者が携帯する携帯電話やＰＤＡ（Personal  Digital  Assistant）といった携帯端末装置と通信し、携帯端末装置／車載装置間でデータ送受信を行うようになってきた。
【０００３】
このように、通信機器同士で通信を行う場合、Ｂｌｕｅｔｏｏｔｈ（登録商標）と呼ばれる無線通信規格がよく知られている。Ｂｌｕｅｔｏｏｔｈ（登録商標）は、２．４ＧＨｚの周波数帯を用いる無線通信規格であり、半径数十メートル範囲内の無線通信が可能である。
【０００４】
ところで、携帯端末装置の普及に伴い、車両内に複数の携帯端末装置が持ち込まれることも多くなってきている。しかし、この場合、複数の携帯端末装置と車載装置との接続関係が不明確となり、利用者にとっての使い勝手が良いとはいえないのが現状である。
【０００５】
このため、携帯端末装置の車両内位置を特定しようとする試みがなされている。たとえば、特許文献１には、車両における各座席に受信部を設け、移動電話機の通話開始または通話完了を検知した受信部が設けられた座席を移動電話機の位置として特定する技術が開示されている。
【０００６】
【特許文献１】特開２００５−３２８１１６号公報
【発明の開示】
【発明が解決しようとする課題】
【０００７】
しかしながら、特許文献１の技術は、移動電話機の位置特定には有効であるものの、上記したＢｌｕｅｔｏｏｔｈ（登録商標）等の通信を行う携帯端末装置の位置特定に用いることは適切ではない。なぜならば、上記したように、Ｂｌｕｅｔｏｏｔｈ（登録商標）通信に係る電波は、半径数十メートルに渡って到達するので、特許文献１のように、移動電話機と１対１に対応付けられた受信部のみが、かかる移動電話機からの電波を受信することはないためである。
【０００８】
その一方で、車両内に持ち込まれた複数の携帯端末装置の車両内位置を特定することができれば、各携帯端末装置と車載装置との接続関係を利用者にわかりやすい形で提供することができるため、各携帯端末装置の車両内位置を特定することは重要である。
【０００９】
これらのことから、車両内に持ち込まれた携帯端末装置の位置を特定することができる車載装置あるいは位置検出方法をいかにして実現するかが大きな課題となっている。
【００１０】
この発明は、上述した従来技術による問題点を解消するためになされたものであり、車両内に持ち込まれた携帯端末装置の位置を特定することができる車載装置および位置検出方法を提供することを目的とする。
【課題を解決するための手段】
【００１１】
上述した課題を解決し、目的を達成するため、本発明は、携帯端末装置と受信機を介して無線通信する車載装置であって、車両に備えられた複数の前記受信機が前記携帯端末装置から受信した電波の電界強度を測定する測定手段と、前記測定手段が測定した各電界強度の中で最も大きい電界強度の電波を受信した前記受信機の位置を前記携帯端末装置の位置として特定する特定手段とを備えたことを特徴とする。
【００１２】
また、本発明は、携帯端末装置の位置を検出する位置検出方法であって、車両に備えられた複数の受信機が前記携帯端末装置から受信した電波の電界強度を測定する測定工程と、前記測定工程が測定した各電界強度の中で最も大きい電界強度の電波を受信した前記受信機の位置を前記携帯端末装置の位置として特定する特定工程とを含んだことを特徴とする。
【発明の効果】
【００１３】
本発明によれば、車両に備えられた複数の受信機が携帯端末装置から受信した電波の電界強度を測定し、測定した各電界強度の中で最も大きい電界強度の電波を受信した受信機の位置を携帯端末装置の位置として特定することとしたので、車両内に持ち込まれた携帯端末装置の位置を特定することができるという効果を奏する。これによって、たとえば、特定された位置を用いて各座席に設置されたスピーカーやディスプレイに対して個別の視聴環境を提供することができる。また、各携帯端末装置に対して対応する座席の操作や座席近傍のドアあるいは窓の操作に関する許可を与えることが可能となる。
【発明を実施するための最良の形態】
【００１４】
以下に添付図面を参照して、この発明に係る車載装置および位置特定方法の好適な実施例を詳細に説明する。なお、実施例１では、携帯端末装置の位置を車載装置が特定する基本的な構成について、実施例２では、特定された位置を用いて利用者に対して個別のサービスを提供する構成についてそれぞれ説明する。
【００１５】
また、各実施例では、車載装置に接続された各受信機と携帯端末装置とがＢｌｕｅｔｏｏｔｈ（登録商標）を用いた無線通信を行う場合について説明するが、他の無線通信規格を用いることとしてもよい。また、以下では、携帯端末装置として携帯電話を用いた場合について説明するが、ＰＤＡ（Personal  Digital  Assistant）やノートブックパソコンといった携帯可能な端末装置にも適用することができる。
【実施例１】
【００１６】
図１は、実施例１に係る車載装置１０の概要を示す図である。同図に示すように、実施例１に係る車載装置１０は、各座席に設置された受信機（同図における受信機Ａ〜受信機Ｄ参照）と接続されている。ここで、各受信機は、たとえば、車両内に持ち込まれた携帯端末装置が発する電波を受信する。なお、同図では、前席２席および後席２席の４席に、それぞれ受信機を設置した場合について示しているが、受信機の数については任意のものとすることができる。
【００１７】
同図に示すように、各受信機は、携帯端末からの電波を受信する（同図の（１）参照）。そして、車載装置１０は、各受信機が受信した電波の電界強度に基づいて携帯端末装置が存在する座席を端末位置として特定する（同図の（２）参照）。そして、車載装置１０は、特定した端末位置に基づいて端末情報を表示部に対して表示する（同図の（３）参照）。
【００１８】
このように、本実施例１に係る車載装置１０は、携帯端末装置が発した電波を複数の受信機が受信し、各受信機が受信した電波の電界強度に基づいて携帯端末装置の位置を特定することとした。また、特定した位置を用いて携帯端末装置に係る情報を表示部に表示することで、各携帯端末装置と車載装置との接続関係を利用者にわかりやすい形で提供することができる。
【００１９】
次に、本実施例１に係る車載装置１０の構成について図２を用いて説明する。図１は、実施例１に係る車載装置１０の構成を示すブロック図である。同図に示すように、車載装置１０は、受信機１１０と接続されている。なお、受信機１１０の台数は、たとえば、車両内の座席数と同数となる。
【００２０】
車載装置１０は、表示部１１と、制御部１２と、記憶部１３とを備えている。そして、制御部１２は、電波強度測定部１２ａと、特定部１２ｂと、受信制御部１２ｃと、表示制御部１２ｄとをさらに備えており、記憶部１３は、端末情報１３ａを記憶する。
【００２１】
表示部１１は、液晶ディスプレイ等の表示デバイスで構成される表示部であり、制御部１２の表示制御部１２ｄからの指示に従い、端末情報１３ａから情報画面を生成して表示する。なお、表示部１１に表示される画面例については、図５を用いて後述する。
【００２２】
制御部１２は、各受信機１１０が受信した電波の電界強度を測定するとともに、測定した電界強度に基づいて携帯端末装置の近傍に存在する受信機１１０を特定し、特定した位置等の端末情報を表示部１１に対して表示させる処理を行う処理部である。
【００２３】
電波強度測定部１２ａは、各受信機１１０が受信した電波の電界強度を測定し、測定した電界強度を特定部１２ｂに対して通知する処理を行う処理部である。ここで、受信機１１０が受信する電波には、携帯端末装置固有のＭＡＣアドレス（Media  Access  Control  Address）等の識別子が含まれている。また、受信機１１０と各携帯端末装置とが「ペアリング」を行う際には、携帯端末装置から車載装置１０へ、かかる識別子が通知されている。
【００２４】
したがって、携帯端末装置が複数台ある場合であっても、電波強度測定部１２ａは、各受信機１１０が受信した電波の電界強度を携帯端末装置ごとにグループ化して特定部１２ｂへ通知することができる。
【００２５】
なお、「ペアリング」とは、Ｂｌｕｅｔｏｏｔｈ（登録商標）を用いた通信を行う際に、通信機器同士でＰＩＮ（Personal  Identity  Number）コードと呼ばれる同一の認証鍵を交換して相互に相手機器を認証する処理のことを指す。また、「ペアリング」時には、各通信機器に設定された名称を示す「ネーム」をはじめとする各通信機器に関する情報が交換される。
【００２６】
特定部１２ｂは、電波強度測定部１２ａから通知された電界強度を、受信機１１０ごとに比較することによって、最も強い電界強度の電波を受信した受信機１１０の位置を端末位置として特定する処理を行う処理部である。また、この特定部１２ｂは、特定した端末位置を携帯端末装置の識別子と対応付けて記憶部１３の端末情報１３ａへ登録する処理を行う処理部でもある。
【００２７】
さらに、この特定部１２ｂは、各受信機１１０に対応する電界強度の差が微小であって、端末位置を特定することができない場合に、受信制御部１２ｃに対して受信機１１０の受信状態を変更するように指示する処理を併せて行う。
【００２８】
受信制御部１２ｃは、すべての受信機１１０が電波を取得するタイミングが同一になるように各受信機１１０を制御する処理を行う。このように、電波の受信タイミングを合わせることで電界強度の比較精度を向上させることができる。また、受信制御部１２ｃは、特定部１２ｂから受信機１１０の受信状態を変更するように指示された場合に、各受信機１１０の受信状態を意図的に悪化させるように制御する処理を行う。
【００２９】
具体的には、この受信制御部１２ｃは、各受信機１１０についてアッテネータによる減衰を利用して受信感度を悪化させるように制御する。このように、各受信機１１０の受信状態を悪化させるように制御することで、複数の受信機１１０間における微小な電界強度差を際立たせることができ、特定部１２ｂが効率良く端末位置を特定することを可能とする。
【００３０】
表示制御部１２ｄは、記憶部１３の端末情報１３ａを表示部１１に対して表示させる処理を行う処理部である。また、記憶部１４は、ＨＤＤ（Hard  Disk  Drive）や不揮発性ＲＡＭ（Random  Access  Memory）といった記憶デバイスで構成された記憶部であり、端末情報１３ａを記憶する。
【００３１】
ここで、この端末情報１３ａの例について図３を用いて説明する。図３は、端末情報１３ａの一例を示す図である。同図に示すように、端末情報１３ａは、たとえば、各携帯端末装置に設定された「端末名」項目、各携帯端末装置の識別子を示す「アドレス」項目、特定部１２ｂによって特定された端末位置を示す「位置」項目、各携帯端末装置に搭載された機能別アプリケーションプログラムを示す「機能」項目とからなる情報である。
【００３２】
なお、「端末名」項目、「アドレス」項目および「機能」項目は、携帯端末装置と車載装置１０との「ペアリング」時に携帯端末装置から通知されて端末情報１３ａに設定され、「位置」項目については特定部１２ｂによって設定される。
【００３３】
同図に示すように、「端末名」が「Ｂさん」である携帯端末装置に対応する情報は、「アドレス」が「ＸＸＸＸ」であり、特定された「位置」が「座席Ａ」（図１における受信機Ａが設置された座席参照）であり、携帯端末装置に搭載されている「機能」が、「ハンズフリー」機能および「メール」機能であることを示している。
【００３４】
また、「端末名」が「Ａさん」である携帯端末装置に対応する情報は、「アドレス」が「ＹＹＹＹ」であり、特定された「位置」が「座席Ｄ」（図１における受信機Ｄが設置された座席参照）であり、携帯端末装置に搭載されている「機能」が「携帯ＮＡＶＩ（ナビゲーション）」機能、「ＡＶ（オーディオ・ビジュアル）」機能および「リモコン」機能であることを示している。
【００３５】
ここで、「ハンズフリー」機能とは、車両に搭載されたマイク／スピーカーを介して通話する機能を指し、「メール」機能とは、表示部１１に対して電子メールの受信／送信履歴等を表示する機能を指し、「携帯ＮＡＶＩ（ナビゲーション）」機能とは、携帯端末装置に搭載されたＧＰＳ（Global  Positioning  System）機能やマップ機能を用いて現在位置や走行ルートを表示部１１に対して提供する機能を指す。
【００３６】
また、「ＡＶ（オーディオ・ビジュアル）」機能とは、携帯端末装置に記憶された音楽や動画情報等を提供する機能を指し、「リモコン」機能とは、車両に搭載された機器をリモートコントロールする機能を指す。なお、リモートコントロールの対象機器には、窓の開閉機器やシート位置の調整機器などが含まれる。
【００３７】
次に、制御部１２の特定部１２ｂが行う位置特定処理の処理手順について図４を用いて説明する。図４は、位置特定処理の処理手順を示すフローチャートである。なお、同図に示したフローチャートは、各携帯端末装置／車載装置１０間のペアリングが完了していることを前提としている。また、同図のステップＳ１０６に示した「ＢＵＦ１」およびステップＳ１０９に示した「ＢＵＦ２」は、値を一時的に格納するバッファを指す。
【００３８】
同図に示すように、特定部１２ｂが電波強度測定部１２ａから携帯端末装置の識別子である端末固有アドレスを取得したならば（ステップＳ１０１）、取得した端末固有アドレスの個数に基づき、端末数をＮとする（ステップＳ１０２）。そして、カウンタであるｎを１とする（ステップＳ１０３）。
【００３９】
つづいて、ｎ番目の端末からの電波を複数の受信機１１０で同時に取得する（ステップＳ１０４）。そして、前左（図１に示した受信機Ｂ）の電界強度と後右（図１に示した受信機Ｃ）の電界強度とを比較し（ステップＳ１０５）、双方の電界強度が等しい場合には（ステップＳ１０５，Ｙｅｓ）、特定部１２ｂは受信制御部１２ｃ経由で受信機１１０への供給電力を抑制するように指示し（ステップＳ１０７）、ステップＳ１０４以降の処理を繰り返す。
【００４０】
一方、ステップＳ１０５の判定条件を満たさない場合、すなわち、いずれかの電界強度が他方の電界強度よりも大きい場合には（ステップＳ１０５，Ｎｏ）、大きい方をＢＵＦ１へ保存する（ステップＳ１０６）。
【００４１】
また、ステップＳ１０５と並行して前右（図１に示した受信機Ａ）の電界強度と後ろ左（図１に示した受信機Ｄ）の電界強度とが比較され（ステップＳ１０８）、双方の電界強度が等しい場合には（ステップＳ１０８，Ｙｅｓ）、特定部１２ｂは受信制御部１２ｃ経由で受信機１１０への供給電力を抑制するように指示し（ステップＳ１１０）、ステップＳ１０４以降の処理を繰り返す。
【００４２】
一方、ステップＳ１０８の判定条件を満たさない場合、すなわち、いずれかの電界強度が他方の電界強度よりも大きい場合には（ステップＳ１０８，Ｎｏ）、大きい方をＢＵＦ２へ保存する（ステップＳ１０９）。
【００４３】
つづいて、ＢＵＦ１に保存された電界強度とＢＵＦ２に保存された電界強度とを比較し（ステップＳ１１１）、双方の電界強度が等しい場合には（ステップＳ１１１，Ｙｅｓ）、特定部１２ｂは受信制御部１２ｃ経由で受信機１１０への供給電力を抑制するように指示し（ステップＳ１１３）、ステップＳ１０４以降の処理を繰り返す。
【００４４】
一方、ステップＳ１１１の判定条件を満たさない場合、すなわち、いずれかの電界強度が他方の電界強度よりも大きい場合には、大きい方の電界強度を受信した受信機１１０の位置を端末位置として特定する（ステップＳ１１２）。そして、カウンタｎが端末数Ｎと等しいか否かを判定し（ステップＳ１１４）、ｎがＮに等しい場合、すなわち、すべての携帯端末装置についての端末位置特定が完了した場合には（ステップＳ１１４，Ｙｅｓ）、処理を終了する。
【００４５】
一方、ｎとＮとが等しくない場合、すなわち、未だすべての携帯端末装置についての端末位置特定が完了していない場合には（ステップＳ１１４，Ｎｏ）、ｎをカウントアップし（ステップＳ１１５）、ステップＳ１０４以降の処理を繰り返す。
【００４６】
このように、まず、お互いの設置位置間の距離が大きい受信機１１０に対応する電界強度同士を比較するのは、設置位置間の距離が大きいほど電界強度の差異が現れやすいためである。なお、同図では、図１に示した４台の受信機１１０を用いた場合について説明したが、受信機１１０の台数が４台よりも大きい場合についても、設置位置間の距離が大きい受信機１１０をペアとして電界強度の比較処理を進めていくことになる。
【００４７】
次に、表示制御部１２が表示部１１に対して表示させる画面例について図５を用いて説明する。図５は、表示部１１に表示される画面の一例を示す図である。なお、同図には、２台の携帯端末装置について端末位置が特定された場合の画面例について示している（同図の５１参照）。また、同図に示した画面例は、図３に例示した端末情報１３ａと対応している。
【００４８】
同図に示すように、端末位置が特定された座席部分には、携帯端末装置が存在することを示すアイコンが表示される（同図の５２ａおよび５２ｂ参照）。また、各携帯端末装置に対応する端末情報１３ａの項目（「端末名」項目および「機能」項目）が、たとえば、ポップアップ画面の形で表示される（同図の５３ａおよび５３ｂ参照）。
【００４９】
このように、特定部１２ｂが特定した端末位置および各携帯端末装置に関する情報を表示することで、各携帯端末装置と車載装置１０との接続関係を利用者にわかりやすい形で提供することができる。
【００５０】
上述してきたように、本実施例１では、電波強度測定部が、各座席の近傍に設けられた各受信機について受信機が携帯端末装置から受信した電波の電界強度を測定し、特定部が、測定した各電界強度を比較することによって最も大きい電界強度の電波を受信した受信機が設けられた座席を携帯端末装置の位置として特定することとしたので、車両内に持ち込まれた携帯端末装置の位置を効率良く特定することができる。
【００５１】
ところで、上述した実施例１では、端末位置の特定手法を中心とする基本的な構成について説明したが、特定した端末位置を用いることで、利用者に対してさまざまな個別サービスを提供することが可能となる。そこで、以下に示す実施例２では、特定された端末位置を用いて利用者に対して個別のサービスを提供する構成について説明する。なお、以下では、実施例１と共通する構成要素には同一の符号を付し、実施例１と同様の内容については、説明を省略するか簡単な説明にとどめることとする。
【実施例２】
【００５２】
まず、本実施例２に係る車載装置１０ａの構成について図６を用いて説明する。図６は、実施例２に係る車載装置１０ａの構成を示すブロック図である。同図に示すように、車載装置１０ａは、入力部１４と、車載装置１２０に接続された許可部１２ｅと、入力部１４に接続された選択部１２ｆとを備える点で、実施例１に係る車載装置１０（図２参照）とは異なる。
【００５３】
入力部１４は、たとえば、表示部１１と一体として形成されるタッチパネル等の入力デバイスであり、図５に示したアイコン（図５の５２ａおよび５２ｂ参照）や、ポップアップ画面（図５の５３ａおよび５３ｂ参照）内の各文字列の選択を利用者に行わせる。
【００５４】
許可部１２ｅは、端末情報１３ａの「位置」項目等に基づいて利用者に対して車載機器１２０の操作を許可する処理を行う処理部である。ここで、車載機器１２０としては、各席に設けられた図示しないパーソナルディスプレイや、パーソナルオーディオセット、各座席のリクライニングやスライドなどの調整を行う座席調整機器、座席横に設けられたドアの開閉、ロック、窓の開閉等を行う操作機器等があげられる。
【００５５】
たとえば、図５に示した後席左側席に、５２ｂの携帯端末装置が存在することが特定されており、また、この携帯端末装置には、「リモコン」機能が搭載されている。この場合、許可部１２ｅは、この「リモコン」機能に対して該当座席の座席調整機器、当該座席横のドアに対応する操作機器についての操作許可を与える。また、かかる携帯端末装置には、「ＡＶ（オーディオ・ビジュアル）」機能が搭載されているので、該当座席のパーソナルディスプレイやパーソナルオーディオセットに対する接続許可を与える。
【００５６】
選択部１２ｆは、入力部１４から入力情報を受け取り、端末情報１３ａを更新する処理を行う処理部である。たとえば、この選択部１２ｆは、特定の携帯端末装置について「機能」項目の活性化／非活性化の選択を行わせたり、複数の携帯端末装置に存在する「機能」項目についていずれかの機能のみを有効にする選択を行わせたりし、選択結果を端末情報１３ａに対して登録する。
【００５７】
このように、本実施例２によれば、許可部が、端末位置が特定された携帯端末装置に対して所定の車載機器に対する操作を許可し、選択部が、各携帯端末装置に搭載された機能の中から利用する機能を選択させるようにしたので、特定された端末位置を用いて各座席に設置されたスピーカーやディスプレイに対して個別の視聴環境を提供することができる。また、各携帯端末装置に対して対応する座席の操作や座席近傍のドアあるいは窓の操作に関する許可を与えることが可能となる。
【００５８】
なお、上述した各実施例では、車両内における各座席に対して受信機を設ける場合について説明したが、各座席に対してアンテナを設置し、各アンテナが受信した電波の電界強度を区別して受信する１台の受信機を用いることとしてもよい。また、各アンテナと１対１に対応する受信機を各アンテナの設置場所とは異なる場所に設置することとしてもよい。
【００５９】
また、各実施例では、車両内における各座席に対して受信機を設ける場合について示したが、受信機を各座席の近傍、たとえば、ドア、フロア、天井等に設けることとしてもよい。さらに、端末位置を特定したい精度に合わせて受信機の数を調整することとしてもよい。たとえば、携帯端末装置が前席にあるか後席にあるかを把握すれば足りる場合には、前席側および後席側に２台の受信機を設けることとすればよい。
【００６０】
また、車載装置が、取得した端末情報に基づいて携帯端末装置／携帯端末装置間の通信を中継したり、端末間通信の許可／不許可を制御したりすることとしてもよい。
【産業上の利用可能性】
【００６１】
以上のように、本発明に係る車載装置および位置検出方法は、車両内に持ち込まれた複数の携帯端末装置の位置を特定した場合に適しており、特に、特定した位置を用いて個別サービスを提供したい場合に有用である。
【図面の簡単な説明】
【００６２】
【図１】実施例１に係る車載装置の概要を示す図である。
【図２】実施例１に係る車載装置の構成を示すブロック図である。
【図３】端末情報の一例を示す図である。
【図４】位置特定処理の処理手順を示すフローチャートである。
【図５】表示部に表示される画面の一例を示す図である。
【図６】実施例２に係る車載装置の構成を示すブロック図である。
【符号の説明】
【００６３】
１０、１０ａ  車載装置
１１    表示部
１２    制御部
１２ａ  電波強度測定部
１２ｂ  特定部
１２ｃ  受信機制御部
１２ｄ  表示制御部
１２ｅ  許可部
１２ｆ  選択部
１３    記憶部
１３ａ  端末情報
１４    入力部
１１０  受信機
１２０  車載機器
【図１】
2009177588.tif 000003
【図２】
2009177588.tif 000004
【図３】
2009177588.tif 000005
【図４】
2009177588.tif 000006
【図５】
2009177588.tif 000007
【図６】
2009177588.tif 000008